(57)【要約】【課題】蛍光ランプの誤挿入を防止し、安全性を確保したＬＥＤランプ、ソケット、ソケットカバーおよび照明装置を提供する。【解決手段】ＬＥＤランプ２は、ＬＥＤを発光源とする直管形発光部２１と、直管形発光部２１の両端に設けられた口金２２と、口金２２に設けられ、照明装置のソケットに接続可能な口金ピン２３とを備える。口金ピン２３は、直管形蛍光ランプの円筒形口金の口金ピンと互換性があり、口金２２の外形は、円筒形口金の口金ピンと同形の口金ピンが配置された非円形底面と、口金ピン２３に対する円筒形口金の底面に相当する範囲内で非円形底面と交わる切り欠き面２２Ｂとを有する。【選択図】図５
2014086260.tif 000002
【特許請求の範囲】
【請求項１】
ＬＥＤを発光源とする直管形発光部と、
前記直管形発光部の両端に設けられた口金と、
前記口金に設けられ、照明装置のソケットに接続可能な口金ピンと、
を備え、
前記口金ピンは、直管形蛍光ランプの円筒形口金の口金ピンと互換性があり、
前記口金の外形は、前記円筒形口金の口金ピンと同形の口金ピンが配置された非円形底面と、前記口金ピンに対する前記円筒形口金の底面に相当する範囲内で前記非円形底面と交わる切り欠き面とを有する、
ことを特徴とするＬＥＤランプ。
【請求項２】
前記口金の外形は、直管形蛍光ランプの口金と同じ大きさの円筒形の外面の一部と、前記円筒形の底面と交わる切り欠き面とを有する、
ことを特徴とする請求項１に記載のＬＥＤランプ。
【請求項３】
前記口金および前記直管形発光部の長さが直管形蛍光ランプの口金および発光部の長さと同じである、
ことを特徴とする請求項１または２に記載のＬＥＤランプ。
【請求項４】
前記ＬＥＤランプの長軸の方向に見て、前記口金の切り欠き面が前記ＬＥＤの発光面の発光軸に直交する軸に対して非対称である、
ことを特徴とする請求項１ないし３のいずれか１項に記載のＬＥＤランプ。
【請求項５】
直管形蛍光ランプの円筒形口金に適合するソケットを収容可能な凹部が形成され、
前記円筒形口金の口金ピンと同形の口金ピンが配置された非円形底面と、前記口金ピンに対する前記円筒形口金の底面に相当する範囲内で前記非円形底面と交わる切り欠き面を有する形状に形成された、非円筒形口金の口金ピンを、前記凹部に収容した前記ソケットに接続する場合は前記非円筒形口金に干渉せず、かつ、前記直管形蛍光ランプの前記円筒形口金の口金ピンを、前記凹部に収容した前記ソケットに接続する場合には前記円筒形口金に干渉する、干渉体を備える、
ことを特徴とするソケットカバー。
【請求項６】
前記ソケットと前記非円筒形口金の口金ピンを接続するために、前記凹部に設けられた貫通孔が形成され、
前記干渉体は、前記貫通孔の内面に設けられる、
ことを特徴とする請求項５に記載のソケットカバー。
【請求項７】
前記貫通孔は内面に、前記直管形蛍光ランプの前記円筒形口金に沿う円筒面の一部がさらに形成され、
前記円筒形口金と同じ大きさの円筒形の外面の一部と、前記円筒形の底面に交わる切り欠き面とを有する形状に形成された、前記非円筒形口金が前記貫通孔に挿入可能である、
ことを特徴とする請求項６に記載のソケットカバー。
【請求項８】
前記干渉体は、
前記切り欠き面を有する形状に形成された前記非円筒形口金の口金ピンを、前記凹部に収容した前記ソケットに接続する場合に、前記非円筒形口金の切り欠き面に嵌合可能な第１の面と、
前記第１の面と前記非円筒形口金の切り欠き面に嵌合した位置から、前記非円筒形口金を前記非円筒形口金の口金ピンに平行な軸の周りに所定の角度回転した場合に、前記口金の切り欠き面に嵌合可能な第２の面と、を有する形状に形成された、
ことを特徴とする請求項５ないし７のいずれか１項に記載のソケットカバー
【請求項９】
直管形蛍光ランプの円筒形口金の口金ピンに適合して、前記口金ピンに接続可能な口金ピン接続部と、
前記直管形蛍光ランプの円筒形口金の口金ピンと同形の口金ピンが配置された非円形底面と、前記口金ピンに対する前記円筒形口金の底面に相当する範囲で前記非円形底面と交わる切り欠き面を有する形状に形成された、非円筒形口金の口金ピンを前記口金ピン接続部に接続する場合は、前記非円筒形口金に干渉せず、かつ、前記直管形蛍光ランプの前記円筒形口金の口金ピンを、前記口金ピン接続部に接続する場合には前記円筒形口金に干渉する、干渉体と、
を備えることを特徴とするソケット。
【請求項１０】
ＬＥＤを発光源とする直管形発光部、
前記直管形発光部の両端に設けられた口金、および、
前記口金に設けられ、照明装置のソケットに接続可能な口金ピン、
を含み、
前記口金ピンは、直管形蛍光ランプの円筒形口金の口金ピンと互換性があり、
前記口金の外形は、前記円筒形口金の口金ピンと同形の口金ピンが配置された非円形底面と、前記口金ピンに対する前記円筒形口金の底面に相当する範囲内で前記非円形底面と交わる切り欠き面とを有する、
ＬＥＤランプと、
直管形蛍光ランプの円筒形口金の口金ピンに適合して、前記口金ピンに接続可能な口金ピン接続部、および、
前記直管形蛍光ランプの円筒形口金の口金ピンと同形の口金ピンが配置された非円形底面と、前記口金ピンに対する前記円筒形口金の底面に相当する範囲で前記非円形底面と交わる切り欠き面を有する形状に形成された、非円筒形口金の口金ピンを前記口金ピン接続部に接続する場合は、前記非円筒形口金に干渉せず、かつ、前記直管形蛍光ランプの前記円筒形口金の口金ピンを、前記口金ピン接続部に接続する場合には前記円筒形口金に干渉する、干渉体、
を含む、前記ＬＥＤランプが接続可能なソケットと、
を備えることを特徴とする照明装置。
【発明の詳細な説明】
【技術分野】
【０００１】
本発明は、ＬＥＤランプ、ソケット、ソケットカバーおよび照明装置に関する。より詳しくは、蛍光ランプのソケットを用いて、蛍光ランプの替わりに使用されるＬＥＤランプ、ソケット、ソケットカバーおよび照明装置に関する。
【背景技術】
【０００２】
ＬＥＤ（Light Emitting Diode）ランプは、白熱電球や蛍光ランプと比較して消費電力が低く寿命が長い。このため、ＬＥＤランプは、これらのランプに替わる光源として普及が進んでいる。
【０００３】
例えば、既存の直管蛍光ランプに替わる直管ＬＥＤランプとして、一般社団法人日本電球工業会規格（JEL801:2010）に対応した直管ＬＥＤランプシステムが販売されている。このシステムは、蛍光ランプ用の口金（例えば、Ｇ１３）と異なる、直管ＬＥＤランプ専用の口金を採用している。直管ＬＥＤランプ専用の口金を採用することにより、このシステムは、ランプの誤挿入および落下を防止し、安全性を確保している（非特許文献１）。
【０００４】
これに対して、既存の蛍光ランプの口金を利用することにより、安価かつ簡易な改造でＬＥＤランプに置き換えたいというニーズも多い。このため、例えば、Ｇ１３口金を利用してＬＥＤランプを取り付ける直管ＬＥＤランプシステムも販売されている。
【先行技術文献】
【非特許文献】
【０００５】
【非特許文献１】「業務用照明器具カタログ２０１２−２０１３」、ＮＥＣライティング株式会社、２０１２年７月発行、Ｐ１３
【発明の概要】
【発明が解決しようとする課題】
【０００６】
しかしながら、上記専用規格と異なり、直管ＬＥＤランプシステムに蛍光ランプの口金を利用すると、ユーザーが誤って蛍光ランプを挿入する恐れがある。
【０００７】
本発明では、上記事情に鑑みてなされたものであり、蛍光ランプの誤挿入を防止し、安全性を確保したＬＥＤランプ、ソケット、ソケットカバーおよび照明装置を提供することを目的とする。
【課題を解決するための手段】
【０００８】
本発明の第１の観点に係るＬＥＤランプは、
ＬＥＤを発光源とする直管形発光部と、
前記直管形発光部の両端に設けられた口金と、
前記口金に設けられ、照明装置のソケットに接続可能な口金ピンと、
を備え、
前記口金ピンは、直管形蛍光ランプの円筒形口金の口金ピンと互換性があり、
前記口金の外形は、前記円筒形口金の口金ピンと同形の口金ピンが配置された非円形底面と、前記口金ピンに対する前記円筒形口金の底面に相当する範囲内で前記非円形底面と交わる切り欠き面とを有する、
ことを特徴とする。
【０００９】
本発明の第２の観点に係るソケットカバーは、
直管形蛍光ランプの円筒形口金に適合するソケットを収容可能な凹部が形成され、
前記円筒形口金の口金ピンと同形の口金ピンが配置された非円形底面と、前記口金ピンに対する前記円筒形口金の底面に相当する範囲内で前記非円形底面と交わる切り欠き面を有する形状に形成された、非円筒形口金の口金ピンを、前記凹部に収容した前記ソケットに接続する場合は前記非円筒形口金に干渉せず、かつ、前記直管形蛍光ランプの前記円筒形口金の口金ピンを、前記凹部に収容した前記ソケットに接続する場合には前記円筒形口金に干渉する、干渉体を備える、
ことを特徴とする。
【００１０】
本発明の第３の観点に係るソケットは、
直管形蛍光ランプの円筒形口金の口金ピンに適合して、前記口金ピンに接続可能な口金ピン接続部と、
前記直管形蛍光ランプの円筒形口金の口金ピンと同形の口金ピンが配置された非円形底面と、前記口金ピンに対する前記円筒形口金の底面に相当する範囲内で前記非円形底面と交わる切り欠き面を有する形状に形成された、非円筒形口金の口金ピンを前記口金ピン接続部に接続する場合は、前記非円筒形口金に干渉せず、かつ、前記直管形蛍光ランプの前記円筒形口金の口金ピンを、前記口金ピン接続部に接続する場合には前記円筒形口金に干渉する、干渉体と、
を備えることを特徴とする。
【００１１】
本発明の第４の観点に係る照明装置は、
ＬＥＤを発光源とする直管形発光部、
前記直管形発光部の両端に設けられた口金、および、
前記口金に設けられ、照明装置のソケットに接続可能な口金ピン、
を含み、
前記口金ピンは、直管形蛍光ランプの円筒形口金の口金ピンと互換性があり、
前記口金の外形は、前記円筒形口金の口金ピンと同形の口金ピンが配置された非円形底面と、前記口金ピンに対する前記円筒形口金の底面に相当する範囲内で前記非円形底面と交わる切り欠き面とを有する、
ＬＥＤランプと、
直管形蛍光ランプの円筒形口金の口金ピンに適合して、前記口金ピンに接続可能な口金ピン接続部、および、
前記直管形蛍光ランプの円筒形口金の口金ピンと同形の口金ピンが配置された非円形底面と、前記口金ピンに対する前記円筒形口金の底面に相当する範囲で前記非円形底面と交わる切り欠き面を有する形状に形成された、非円筒形口金の口金ピンを前記口金ピン接続部に接続する場合は、前記非円筒形口金に干渉せず、かつ、前記直管形蛍光ランプの前記円筒形口金の口金ピンを、前記口金ピン接続部に接続する場合には前記円筒形口金に干渉する、干渉体、
を含む、前記ＬＥＤランプが接続可能なソケットと、
を備えることを特徴とする。
【発明の効果】
【００１２】
本発明によれば、蛍光ランプの誤挿入を防止し、安全性を確保したＬＥＤランプ、ソケットカバーおよび照明装置を提供することができる。
【図面の簡単な説明】
【００１３】
【図１】実施の形態１に係る照明装置の構成を説明するための図である。
【図２】実施の形態１に係る照明装置のソケットカバー部分を拡大した断面図である。
【図３】実施の形態１に係るソケットカバーおよびソケットの構成を説明するための図である。
【図４】実施の形態１に係るソケットカバーおよびソケットの斜視図である。
【図５】実施の形態１に係るＬＥＤランプの構成を説明するための図である。
【図６】ＬＥＤランプ、ソケットカバーおよびソケットの接続関係を説明するための図である。
【図７】実施の形態２に係るソケットカバーの構成を説明するための図である。
【図８】実施の形態３に係るＬＥＤランプの構成を説明するための図である。
【図９】ＬＥＤランプの変形例の構成を説明するための正面図である。
【図１０】ＬＥＤランプの変形例に係る口金の構成を説明するための側面図である。
【図１１】ソケットカバーの変形例の構成を説明するための斜視図である。
【発明を実施するための形態】
【００１４】
（実施の形態１）
以下、本発明を実施するための形態について図面を参照して詳細に説明する。なお図中、同一または同等の部分には同一の符号を付す。図１は、実施の形態に係る照明装置の構成を説明するための図である。図１（Ａ）が底面図、図１（Ｂ）が正面図、図１（Ｃ）が平面図、図１（Ｄ）が右側面図である。
【００１５】
図１に示すように、本実施の形態に係る照明装置１は、本体１１と、ＬＥＤランプ２と、ソケットカバー３とを備えている。
【００１６】
本体１１は、本来、直管形蛍光ランプを光源とする本体と同じものが用いられている。本実施の形態では、本体１１は、直管形蛍光ランプ用の、ランプの長軸に直交する断面がいわゆる逆富士形の板状部材で覆われている。この逆富士形の板状部材は、富士形の中央頂上部に対する傾斜面に反射板が配置される。反射板は、例えば白色塗装された鋼板で構成される。
【００１７】
本体１１は、ＬＥＤランプ２を点灯させるため、既存の直管形蛍光ランプの電源部等の回路がＬＥＤランプの電源ユニット等に置き換えられている。すなわち、本体１１は、ランプ側の面に、ＬＥＤランプ２を点灯するための電源ユニット１２、電源端子台１３と、信号線端子台１４とを有している。直管形蛍光ランプの本体を利用してＬＥＤランプ２を点灯させるため、これらの部品は、既存の直管形蛍光ランプの本体が改造されて取り付けられる。
【００１８】
本体１１は、ソケットカバーと既存のソケットを介して、ＬＥＤランプ２が取り付けられている。
【００１９】
図２は、実施の形態１に係る照明装置のソケットカバー部分を拡大した断面図である。図２に示されるように、ソケットカバー３は、逆富士形の本体１１の傾斜面上に、すなわち、反射板上に配置され、ソケットカバー３の内部にソケット４が配置されている。ソケットカバー３とソケット４を図３および図４に示す。
【００２０】
図３は、実施の形態１に係るソケットカバーおよびソケットの構成を説明するための図である。図３（Ａ）は正面図であり、図３（Ｂ）はその側面図、図３（Ｃ）はその底面図である。図４は、実施の形態１に係るソケットカバーおよびソケットの斜視図である。図２および図３は、ソケット４にソケットカバー３を装着したときの図である。図４（Ａ）はソケットカバー３、図４（Ｂ）はソケット４、をそれぞれ示している。
【００２１】
図２および図３に示すように、ソケットカバー３は、ソケット４をランプ受４２側から覆うように構成されている。すなわち、ソケットカバー３には、ソケット４を収容可能な凹部３２と、凹部３２に設けられた貫通孔３１が形成されている。
【００２２】
ソケットカバー３に収容されるソケット４は、直管形蛍光ランプ用のソケットと同じものである。すなわち、ソケット４は、直管形蛍光ランプ用のソケットと互換性がある。本実施の形態では、蛍光ランプ用のＧ１３口金のソケットが採用されているが、他の直管形蛍光ランプ用のソケットであってもよく、例えば、Ｇ５、Ｒ１７ｄ、Ｒｘ１７ｄ等の口金用のソケットのうちのいずれか１つであってもよい。これらのソケットは、直管形蛍光ランプ用のソケットとして広く普及しているので、入手が容易で、価格が安価である。
【００２３】
凹部３２は、ソケット４の前面側、すなわち、ランプ受４２および口金ピン接続部４１が配置された面側を収容可能に形成されている。本実施の形態では、ソケット４の前面側の構造物とほぼ同じ形状に凹部が形成されている。このため、凹部３２にソケット４をはめ込むと、ソケット４の前面側がソケットカバー３によって覆われる。
【００２４】
貫通孔３１は、ソケット４の口金ピン接続部４１と口金ピン２３を接続可能とするため、凹部３２に形成されている。詳細には、貫通孔３１は、凹部３２の底面である口金ピン接続部（導電板）４１およびランプ受４２を収容する部分で、ソケットカバー３を貫通している。このため、ソケットカバー３にソケット４を嵌め込んでも、口金ピン接続部（導電板）４１およびランプ受４２は、ソケットカバー３に覆われず、貫通孔３１から露出している。
【００２５】
貫通孔３１は、その内面に、円筒面３１Ａと、円筒を横切るように配置された平面３１Ｂが形成されている（平面３１Ｂは、円筒面に対して凸状であるので、以下凸部３１Ｂという）。円筒面３１Ａは、直管形蛍光ランプの口金とほぼ同じ（同じまたはやや大きい）直径の円筒形状に形成されている。言い換えると、直管形蛍光ランプの口金に沿う形状に形成されている。このため、凸部３１Ｂが無ければ、円筒面３１Ａとほぼ同じ大きさの直管形蛍光ランプの口金が挿入可能である。本実施の形態の円筒面３１Ａは、Ｇ１３口金とほぼ同じ直径の円筒形状に形成されているので、凸部３１Ｂが無ければ、円筒面３１ＡにＧ１３口金が挿入可能である。円筒面３１Ａの直径は、Ｇ１３口金のみならず、他の直管形蛍光ランプの口金とほぼ同じであってもよく、例えば、Ｇ５、Ｒ１７ｄ、Ｒｘ１７ｄ等の口金とほぼ同じであってもよい。
【００２６】
凸部３１Ｂは、円筒面３１Ａの円筒面上に形成され、円筒面３１Ａとほぼ同じ直径の円筒の挿入を制限するように設けられている。詳細には、凸部３１Ｂは、後述する切り欠き面２２Ｂとほぼ同じ（同じまたはやや小さい）外形に突出するように形成されている。すなわち、凸部３１Ｂは、貫通部の円筒の一部を貫通部の円筒の中心から所定の距離離れた線分によって切断された面に沿うように形成され、貫通部の円筒面上の一部をふさいでいる。このため、直管形蛍光ランプの口金を貫通孔３１に挿入した場合に、直管形蛍光ランプの口金に干渉することになる。このような機能から、本明細書では、凸部３１Ｂを干渉体とも称する。
【００２７】
貫通孔３１は、円筒面３１Ａおよび凸部３１ＢでＬＥＤランプ２を支持する。ソケットカバー３の貫通孔３１に、ＬＥＤランプ２が挿入されて使用される。以下に、ＬＥＤランプ２について詳説する。
【００２８】
図５は、実施の形態に係るＬＥＤランプの構成を説明するための図である。図５（Ａ）が正面図、図５（Ｂ）が左側面図、図５（Ｃ）が変形例の左側面図である。図５に示すように、ＬＥＤランプ２は、ＬＥＤを発光源とする直管形発光部２１と、口金２２と、口金ピン２３とを備えている。
【００２９】
直管形発光部２１は、複数のＬＥＤ（Light Emitting Diode）が直管形のハウジング内に配置された発光部である。図５に示すように、その外観は、直管形蛍光ランプとほぼ同じである。例えば、直管形のハウジングの大きさ（直径、長さ）も直管形蛍光ランプと同じ大きさである。本実施の形態では、直管形発光部２１がＦＨＦ８６（７６Ｗ）の直管形蛍光ランプと同じ大きさに形成されているが、直管形発光部２１は、使用目的、用途に応じて他の直管形蛍光ランプと同じ大きさに形成されてもよい。例えば、ＦＬ２０Ｓ、ＦＨＦ３２、ＦＬ４０Ｓ等の種類の直管形蛍光ランプと同じ長さであってもよい。また、ソケットにＬＥＤランプ２が取り付けることができればよいので、直管形発光部２１は、直管形蛍光ランプと同じ長さであればよく、直管形蛍光ランプの直径は、直管形蛍光ランプの直径よりも小さくてもよい。
【００３０】
直管形発光部２１は、ＬＥＤからの熱を放熱するヒートシンクを有している。ＬＥＤは基板に実装され、この基板の、ＬＥＤが実装された面側（図５に示すＸ側）から光が発光されるが、ヒートシンクは、ＬＥＤの光が発光する面と反対側（図５に示すＹ側）に配置されている。このような配置を採用することにより、光の有効利用を図ることができる。
【００３１】
口金２２は、直管形発光部２１の両端に設けられている。口金の直管形発光部２１に対する大きさやその位置関係は、直管形蛍光ランプの場合とほぼ同じである。例えば、図５に示すＲ１の長さは、直管形蛍光ランプ用のＧ１３口金のそれと同じ長さである。また、口金２２および直管形発光部２１の長さ（図５に示すＰ１）も、Ｇ１３口金および直管形蛍光ランプＦＨＦ８６の発光部の長さと同じ、２３７６ｍｍであり、この長さは、直管形蛍光ランプのＪＩＳ規格で規定される長さである。口金２２は、直管形蛍光ランプの口金の底面と同じ平面に配置された底面があり、そのため、ＬＥＤランプ２は、既存の直管形蛍光ランプと長さにおいて互換性があり、ＬＥＤランプ２は、既存の直管形蛍光ランプの本体１１に取り付けることができる。
【００３２】
これに対して、口金２２の形状は、直管形蛍光ランプの形状と異なっている。すなわち、口金２２は、円筒形の外面の一部である円筒面２２Ａと、円筒面２２Ａの一部を切り欠いた形状の切り欠き面２２Ｂとを有する形状に形成されている。なお、口金２２は切り欠き面を有する形状であるので、本明細書では非円筒形口金とも称し、これに対し、直管形蛍光ランプの口金を円筒形口金と称する。
【００３３】
円筒面２２Ａは、直管形蛍光ランプの口金と同じ直径の円筒面である。本実施の形態では、円筒面２２Ａの直径は、直管形蛍光ランプ用Ｇ１３口金と同じ大きさである。
【００３４】
切り欠き面２２Ｂは、図５（Ｂ）に示すように、円筒面２２Ａの円筒の底面と交わる形状に形成されている。詳細には、円筒面２２Ａの一部が、円筒の中心から距離Ｓ１離れた線分によって切断されたような形状に形成されている。切り欠き面２２Ｂは、円筒面２２Ａの円周より内側に設けられ、上述したソケットカバー３の凸部の面が切り欠き面２２Ｂと嵌合する関係にある。
【００３５】
切り欠き面２２Ｂは、円筒面２２Ａの円筒の底面と交わる形状に形成されるとよく、その形状は図５（Ｂ）に示す形状に限られない。例えば、切り欠き面２２Ｂは、直管形発光部２１を固定する固定手段（ネジ）を配置するために、図５（Ｃ）に示す形状に形成されてもよい。すなわち、切り欠き面２２Ｂは、円筒の中心から距離Ｓ１離れた線分によって切断された面に沿うように形成された面と、さらにその面の両端を切り欠くように形成された面から構成されてもよい。このように、切り欠き面２２Ｂは、円筒面２２Ａの円筒の底面と交わる形状に形成されるとよい。
【００３６】
切り欠き面２２Ｂは、ＬＥＤランプの長軸の方向に見て、ＬＥＤランプ２の発光面の発光軸に直交する軸に対して非対称に形成されるとよい。本実施の形態では、切り欠き面２２Ｂが上記発光軸に対してほぼ対称に配置されているが、切り欠き面２２Ｂを上記発光軸に対して非対称に形成することにより、切り欠き面２２Ｂの位置を確認して、ＬＥＤの発光面を容易に識別することができるようになる。すなわち、切り欠き面２２Ｂと発光面の発光軸が対称である場合、ＬＥＤランプ２を誤って上下逆に取り付ける恐れがある（発光面が本体の反射板がある上面で、上述したヒートシンクが下面となるように誤って取り付ける恐れがある）が、切り欠き面２２Ｂを上記発光軸に対して非対称に形成することにより、このようなＬＥＤランプの誤挿入を防止することができる。
【００３７】
口金ピン２１は、口金２２の端部の面に設けられ、直管形の照明装置のソケットに接続可能に形成されている。ＬＥＤランプの両端から延びた金属製のピンにより、ランプ両端を保持するソケットを介して電源ユニット１２と電気的に接続される。
【００３８】
口金ピン２１は、直管形蛍光ランプの口金ピンと互換性があるように形成されている。本実施の形態では、ソケットが蛍光ランプ用のＧ１３口金のソケットであるので、口金ピン２１もＧ１３口金の口金ピンと同じ形状、大きさである。例えば、図５に示すピン長さＱとピン間隔Ｔは、Ｇ１３口金のＪＩＳ規格の寸法に適合している。このように、本実施の形態の口金ピン２１は、Ｇ１３口金の口金ピンと互換性がある。
【００３９】
図６は、ＬＥＤランプ、ソケットカバーおよびソケットの接続関係を説明するための図である。図６に示すように、ＬＥＤランプ２の切り欠き面２２Ｂは、貫通孔３１の凸部３１Ｂと対応する位置に形成され、その外形は互いにほぼ同じである。すなわち、ＬＥＤランプ２の切り欠き面２２Ｂは、貫通孔３１の凸部３１Ｂが有する一部の面と嵌合する関係にある。このため、円筒面２２Ａと切り欠き面２２Ｂとを有する形状に形成されたＬＥＤランプ２の口金２２は、貫通孔３１に挿入可能である。貫通孔３１に挿入された口金２２の先端にある口金ピン２１は、ソケットカバー３を介して、ソケット４のランプ受４２にある口金ピン接続部４１に接続される。ランプ受４２にはバネを介してソケット本体に固定されているので、その反発力によって、ＬＥＤランプ２は両端にあるソケット４間で保持される。このような構造により、ＬＥＤランプ２はソケット４に取り付けられる。
【００４０】
一方、直管形蛍光ランプの口金（例えば、Ｇ１３口金）は、その断面が円形状であり、完全な円筒であるので、直管形蛍光ランプの口金は、貫通孔３１の凸部３１Ｂが有する面と嵌合する関係にない。このため、直管形蛍光ランプの口金は、貫通孔３１に挿入することができず、直管形蛍光ランプをソケット４に取り付けることはできない。このように、貫通孔３１に凸部が形成されたソケットカバー３は、直管形蛍光ランプの口金の挿入を制限し、直管形蛍光ランプの、ソケット４に対する誤挿入を防止し、安全性を確保する。
【００４１】
（実施の形態２）
実施の形態１では、ソケットカバー３に形成された貫通孔３１の凸部３１ＢがＬＥＤランプ２の切り欠き面２２Ｂとほぼ同じ形状であり、凸部３１Ｂが有する一部の面と切り欠き面２２Ｂが勘合してＬＥＤランプ２が長軸を中心に回転できない場合を説明したが、ＬＥＤランプ２が長軸を中心に回転できるような凸部３１Ｂが形成されてもよい。
【００４２】
例えば、貫通孔の凸部が、ＬＥＤランプ２の口金が貫通孔に挿入されたときに、ＬＥＤランプ２の切り欠き面に嵌合可能な第１の面と、この切り欠き面に嵌合した位置から、ＬＥＤランプ２が長軸を中心に所定の角度回転したときに、ＬＥＤランプ２の切り欠き面に嵌合可能な第２の面と、を有する形状に形成されてもよい。
【００４３】
図７は、実施の形態２に係るソケットカバーの構成を説明するための図である。図７に示すソケットカバー３０で覆われるソケットは、ランプ受４４が所定の角度回転可能なソケットである。このソケットは、既存の直管形蛍光ランプのソケット（Ｇ１３口金）であり、ランプの口金ピンを口金ピン接続部４３に押し当てて、所定の角度、ランプ受４４を回転させることにより、ランプをソケットに取り付けるタイプのソケットである。
【００４４】
ソケットカバー３０は、貫通孔３６を備え、貫通孔３６は、円筒面３６Ａと、円筒面３６Ａの面上に設けられた三角形状の凸部３６Ｂとが形成されている。
【００４５】
凸部３６Ｂは、貫通孔３６の円筒の中心から所定の距離離れた水平方向に伸びる線分と、同中心から所定の距離離れた垂直方向に伸びる線分の、両方の線分に囲まれる領域を占めるように形成されている。すなわち、凸部３６Ｂは、上記の線分に囲まれる、円筒面３６Ａの円弧を底辺とする略三角の断面となるように形成されている。
【００４６】
図７Ｂに示すように、口金２２を口金ピン接続部４１が上下に並ぶような向きにすると、ＬＥＤランプ２の切り欠き面２２Ｂは、凸部３６Ｂの略三角の一辺と接する。すなわち、ＬＥＤランプ２の口金が貫通孔に挿入されたときに、凸部３６Ｂの略三角の一辺がＬＥＤランプ２の切り欠き面に嵌合する。このため、ＬＥＤランプ２の口金２２は、ソケットカバー３０の貫通孔３６に挿入可能である。
【００４７】
この状態でＬＥＤランプ２の口金２２をソケットカバー３０の貫通孔３６に挿入し、口金ピンを口金ピン接続部４３に押し当てて、口金２２を口金ピン接続部４１が左右に並ぶような向きに、ＬＥＤランプ２が長軸を中心に回転させる。（図７（Ｃ)参照）。
【００４８】
口金２２を口金ピン接続部４１が左右に並ぶような向きにすると、ＬＥＤランプ２の切り欠き面２２Ｂは、凸部３６Ｂの略三角の他の辺と接する（図７（Ｃ)参照）。ＬＥＤランプ２の口金が貫通孔で回転されたときに、凸部３６Ｂの略三角のもう一方の辺がＬＥＤランプ２の切り欠き面に嵌合する。このように、ランプ受４４が略９０度を回転することになり、ＬＥＤランプ２がソケットに取り付けられる。
【００４９】
以上のように、ＬＥＤランプ２の口金２２が貫通孔３６内で所定の角度回転可能に、凸部３６Ｂが口金２２の切り欠き面２２Ｂよりも小さく形成されてもよい。この形態においても、直管形蛍光ランプの口金の挿入は制限され、直管形蛍光ランプの、ソケット４に対する誤挿入が防止される。
【００５０】
（実施の形態３）
実施の形態１では、Ｇ１３口金の例を説明したが、本発明は、他の直管形蛍光ランプの口金、例えば、図８に示すＲｘ１７ｄ口金にも適用できる。
【００５１】
図８は、実施の形態３に係るＬＥＤランプの構成を説明するための図である。図８（Ａ）が正面図、図８（Ｂ）が左側面図である。図８に示すＬＥＤランプは、直管形発光部２６と、Ｒｘ１７ｄ口金の規格に適合する口金２７および口金ピン２８とを備えている。
【００５２】
口金２７は、直管形蛍光ランプのＲｘ１７ｄ口金の規格に適合する直径の円筒面２７Ａと、円筒面２７Ａの一部が、円筒の中心から距離Ｓ２離れた線分によって切断されたように形成された切り欠き面２７Ｂとを有する形状に形成されている。
【００５３】
本実施の形態においても、実施の形態１と同様に、ＬＥＤランプの切り欠き面２７Ｂは、ソケットカバー３の凸部３１Ｂと嵌合する関係にあり、直管形蛍光ランプの口金は、貫通孔３１の凸部３１Ｂと嵌合する関係にない。このため、本実施の形態においても、ソケットカバー３は直管形蛍光ランプの口金の挿入を制限し、直管形蛍光ランプの、ソケット４に対する誤挿入を防止する。
【００５４】
（他の実施の形態）
実施の形態１〜３では、ＬＥＤランプの切り欠き面２７Ｂが口金の底面に対してほぼ垂直方向に切り欠いた形状であったが、本発明は上記の実施の形態等に限定されるものではない。図９は、ＬＥＤランプの変形例の構成を説明するための正面図である。図９（Ａ），（Ｂ），（Ｃ）は、それぞれ異なる形態の口金を示し、図９（Ａ）は、実施の形態１に係る口金であり、図９（Ｂ），（Ｃ）は、他の形態に係る口金である。図９において、点線Ｅが直管形蛍光ランプの口金の側面の位置を、点線Ｂが直管形蛍光ランプの口金の底面の位置を、点線ＣがＬＥＤランプの口金の切り欠き面の位置を、それぞれ表している。点線Ｅは、直管形蛍光ランプが同じ位置に配置された場合のその口金の側面の位置を表している。
【００５５】
図９に示すように、本実施の形態に係るＬＥＤランプの口金２２は、口金の底面に交わる切り欠き面が形成された外形であればよい。例えば、図９（Ｂ）の形態では、口金２２は、口金の底面に対してほぼ垂直方向に延びる面と口金の側面から底面と平行な面とにより切り欠いた外形に形成されている（図９（Ｂ）の点線Ｃ参照）。
【００５６】
また、図９（Ｃ）の形態では、口金２２は、口金の底面から側面に延びる面、すなわち、底面から斜め方向に延びる面により切り欠いた外形に形成されている（図９（Ｃ）の点線Ｃ参照）。
【００５７】
図９（Ｂ），（Ｃ）に示す形態では、ＬＥＤランプの口金２２の底面とＬＥＤランプ側の上面との間に切り欠き面が設けられている。すなわち、口金２２の底面から上面までの側面をＲとしたとき、Ｒと切り欠き面が交わっている。
【００５８】
一方、図９（Ａ）に示す形態では、ＬＥＤランプの口金２２の底面に対してほぼ垂直方向に切り欠き面が延び、上記のＲと切り欠き面が交わっていない。
【００５９】
このように、本発明の実施の形態は、口金２２の口金の底面に交わる切り欠き面が少なくとも形成された外形であればよい。ソケットカバーの貫通孔の凸部が直管形蛍光ランプの口金の挿入を制限するようにするため、ランプの挿入側、すなわち、口金の底面側に少なくとも切り欠き面が形成されればよい。
【００６０】
図９では、ＬＥＤランプの口金の円筒面の直径が直管形蛍光ランプのそれと同じ大きさの場合を示しているが、上記切り欠き面は、口金ピンに対して直管形蛍光ランプの口金の底面に相当する範囲内で底面と交わる切り欠き面であればよいので、ＬＥＤランプの口金の直径は、直管形蛍光ランプの口金の大きさに限定されない。ソケットカバーの貫通孔の凸部が直管形蛍光ランプの口金の挿入を制限するようにするため、ＬＥＤランプの口金は、直管形蛍光ランプの口金の円筒とほぼ同じ直径以上の大きさの円筒であればよく、その大きさ以上であれば、口金の形状は円筒に限られない。
【００６１】
図１０は、ＬＥＤランプの変形例に係る口金の構成を説明するための側面図である。図１０（Ｂ）に示すＬＥＤランプの口金は、直管形蛍光ランプの口金の直径より大きい円筒であり（Ｕ＜Ｖ１，図１０（Ｂ）参照）、その円筒に、切り欠き面が中心から距離Ｓ離れた位置に形成されている。中心から距離Ｓ離れた位置の線分は、直管形蛍光ランプの口金の底面と交わっているので、この形態に対応する凸部が形成されたソケットカバーの貫通孔に、直管形蛍光ランプの口金を挿入しようとしても、ソケットカバーの貫通孔の凸部により、直管形蛍光ランプの口金の挿入を制限される。
【００６２】
また、図１０（Ｃ）には、直管形蛍光ランプの口金の直径より大きい辺をもつ断面長方形（外形は直方体）の外形に形成されたＬＥＤランプの口金が示されている（Ｕ＜Ｖ２，Ｕ＜Ｖ３，図１０（Ｃ）参照）。この口金は、図１０（Ｂ）に示す形態と同様に、直管形蛍光ランプの口金の底面と交わる切り欠き面が、中心から距離Ｓ離れた位置に形成されている。このため、図１０（Ｂ）に示す形態と同様に、この形態に対応する凸部が形成されたソケットカバーの貫通孔に、直管形蛍光ランプの口金を挿入しようとしても、ソケットカバーの貫通孔の凸部により、直管形蛍光ランプの口金の挿入を制限される。
【００６３】
以上、本発明の実施の形態について説明したが、本発明は上記の実施の形態等に限定されるものではない。例えば、以上の形態では、ソケットとソケットカバーが別個の場合であったが、ソケットとソケットカバーが一体であってもよい。ソケットとソケットカバーが接合されて一体とされたものであってもよいし、ソケットとソケットカバーが樹脂により成形されて一体とされたものであってもよい。例えば、ＬＥＤランプの口金が挿入可能な挿入孔が形成され、その底部に口金ピン接続部が配置された形態であってもよい。この場合、挿入孔が、上述したソケットカバーの貫通孔と凹部に配置されたソケットの機能を果たすことになる。
【００６４】
また、以上の形態では、ソケットカバーに貫通孔が形成され、この貫通孔にＬＥＤランプが挿入されて使用される形態であったが、ソケットカバーがソケットを庇状に覆い、その庇部分にＬＥＤランプが挿入されて使用される形態であってもよい。図１１にその例を示す。図１１は、ソケットカバーの変形例の構成を説明するための斜視図である。
【００６５】
図１１に示すように、変形例に係るソケットカバーは、直管形蛍光ランプの円筒形口金に適合するソケット（例えば、Ｇ１３）が収容可能なソケット収容部３３と、ソケットが収容された場合の前面側に配置された凸部３１Ｂ（干渉体）とが形成されている。ソケット収容部３３は、庇３４部がソケットを覆うように構成されている。この場合、凸部がＬＥＤランプの切り欠き面に対応する面を有すれば、ＬＥＤランプを口金ピン接続部に接続できるが直管形蛍光ランプは、凸部が干渉し、接続できない。このように、ソケットカバーに貫通孔が形成されず、その替わりにソケットを収容する庇（その他、例えば、壁）が形成された形態であってもよい。
【００６６】
また、上記の庇状のソケットカバーがソケットと一体となってもよい。例えば、口金ピン接続部と、上記の凸部（干渉体）とを備えるソケットであってもよい。また、庇状のソケットカバーがソケットと一体となったものが照明装置を構成してもよい。
【００６７】
本発明は、本発明の広義の精神と範囲を逸脱することなく、様々な実施形態及び変形が可能とされるものである。上述した実施形態は、本発明を説明するためのものであり、本発明の範囲を限定するものではない。
【００６８】
上記の実施形態の一部又は全部は、以下の付記のようにも記載されうるが、以下には限られない。
【００６９】
（付記１）
ＬＥＤを発光源とする直管形発光部と、
前記直管形発光部の両端に設けられた口金と、
前記口金に設けられ、照明装置のソケットに接続可能な口金ピンと、
を備え、
前記口金ピンは、直管形蛍光ランプの円筒形口金の口金ピンと互換性があり、
前記口金の外形は、前記円筒形口金の口金ピンと同形の口金ピンが配置された非円形底面と、前記口金ピンに対する前記円筒形口金の底面に相当する範囲内で前記非円形底面と交わる切り欠き面とを有する、
ことを特徴とするＬＥＤランプ。
【００７０】
（付記２）
前記口金の外形は、直管形蛍光ランプの口金と同じ大きさの円筒形の外面の一部と、前記円筒形の底面と交わる切り欠き面とを有する、
ことを特徴とする付記１に記載のＬＥＤランプ。
【００７１】
（付記３）
前記口金および前記直管形発光部の長さが直管形蛍光ランプの口金および発光部の長さと同じである、
ことを特徴とする付記１または２に記載のＬＥＤランプ。
【００７２】
（付記４）
前記ＬＥＤランプの長軸の方向に見て、前記口金の切り欠き面が前記ＬＥＤの発光面の発光軸に直交する軸に対して非対称である、
ことを特徴とする付記１ないし３のいずれか１つに記載のＬＥＤランプ。
【００７３】
（付記５）
直管形蛍光ランプの円筒形口金に適合するソケットを収容可能な凹部が形成され、
前記円筒形口金の口金ピンと同形の口金ピンが配置された非円形底面と、前記口金ピンに対する前記円筒形口金の底面に相当する範囲内で前記非円形底面と交わる切り欠き面を有する形状に形成された、非円筒形口金の口金ピンを、前記凹部に収容した前記ソケットに接続する場合は前記非円筒形口金に干渉せず、かつ、前記直管形蛍光ランプの前記円筒形口金の口金ピンを、前記凹部に収容した前記ソケットに接続する場合には前記円筒形口金に干渉する、干渉体を備える、
ことを特徴とするソケットカバー。
【００７４】
（付記６）
前記ソケットと前記非円筒形口金の口金ピンを接続するために、前記凹部に設けられた貫通孔が形成され、
前記干渉体は、前記貫通孔の内面に設けられる、
ことを特徴とする付記５に記載のソケットカバー。
【００７５】
（付記７）
前記貫通孔は内面に、前記直管形蛍光ランプの前記円筒形口金に沿う円筒面の一部がさらに形成され、
前記円筒形口金と同じ大きさの円筒形の外面の一部と、前記円筒形の底面に交わる切り欠き面とを有する形状に形成された、前記非円筒形口金が前記貫通孔に挿入可能である、
ことを特徴とする付記６に記載のソケットカバー。
【００７６】
（付記８）
前記干渉体は、
前記切り欠き面を有する形状に形成された前記非円筒形口金の口金ピンを、前記凹部に収容した前記ソケットに接続する場合に、前記非円筒形口金の切り欠き面に嵌合可能な第１の面と、
前記第１の面と前記非円筒形口金の切り欠き面に嵌合した位置から、前記非円筒形口金を前記非円筒形口金の口金ピンに平行な軸の周りに所定の角度回転した場合に、前記口金の切り欠き面に嵌合可能な第２の面と、を有する形状に形成された、
ことを特徴とする付記５ないし７のいずれか１つに記載のソケットカバー。
【００７７】
（付記９）
直管形蛍光ランプの円筒形口金の口金ピンに適合して、前記口金ピンに接続可能な口金ピン接続部と、
前記直管形蛍光ランプの円筒形口金の口金ピンと同形の口金ピンが配置された非円形底面と、前記口金ピンに対する前記円筒形口金の底面に相当する範囲で前記非円形底面と交わる切り欠き面を有する形状に形成された、非円筒形口金の口金ピンを前記口金ピン接続部に接続する場合は、前記非円筒形口金に干渉せず、かつ、前記直管形蛍光ランプの前記円筒形口金の口金ピンを、前記口金ピン接続部に接続する場合には前記円筒形口金に干渉する、干渉体と、
を備えることを特徴とするソケット。
【００７８】
（付記１０）
ＬＥＤを発光源とする直管形発光部、
前記直管形発光部の両端に設けられた口金、および、
前記口金に設けられ、照明装置のソケットに接続可能な口金ピン、
を含み、
前記口金ピンは、直管形蛍光ランプの円筒形口金の口金ピンと互換性があり、
前記口金の外形は、前記円筒形口金の口金ピンと同形の口金ピンが配置された非円形底面と、前記口金ピンに対する前記円筒形口金の底面に相当する範囲内で前記非円形底面と交わる切り欠き面とを有する、
ＬＥＤランプと、
直管形蛍光ランプの円筒形口金の口金ピンに適合して、前記口金ピンに接続可能な口金ピン接続部、および、
前記直管形蛍光ランプの円筒形口金の口金ピンと同形の口金ピンが配置された非円形底面と、前記口金ピンに対する前記円筒形口金の底面に相当する範囲で前記非円形底面と交わる切り欠き面を有する形状に形成された、非円筒形口金の口金ピンを前記口金ピン接続部に接続する場合は、前記非円筒形口金に干渉せず、かつ、前記直管形蛍光ランプの前記円筒形口金の口金ピンを、前記口金ピン接続部に接続する場合には前記円筒形口金に干渉する、干渉体、
を含む、前記ＬＥＤランプが接続可能なソケットと、
を備えることを特徴とする照明装置。
【符号の説明】
【００７９】
１  照明装置
２，２０  ＬＥＤランプ
３，３０  ソケットカバー
４  ソケット
１１  本体
１２  電源ユニット
１３  電源端子台
１４  信号線端子台
２１，２６  直管形発光部
２２，２７  口金
２２Ａ，２７Ａ  円筒面
２２Ｂ，２７Ｂ  切り欠き面
２３，２８  口金ピン
３１，３６  貫通孔
３１Ａ，３６Ａ  円筒面
３１Ｂ，３６Ｂ  凸部（干渉体）
３２  凹部
３３  ソケット収容部
３４  庇部
４１，４３  口金ピン接続部
４２，４４  ランプ受
【図１】
2014086260.tif 000003
【図２】
2014086260.tif 000004
【図３】
2014086260.tif 000005
【図４】
2014086260.tif 000006
【図５】
2014086260.tif 000007
【図６】
2014086260.tif 000008
【図７】
2014086260.tif 000009
【図８】
2014086260.tif 000010
【図９】
2014086260.tif 000011
【図１０】
2014086260.tif 000012
【図１１】
2014086260.tif 000013